(57)【要約】【課題】従来、内装材が内装材の下地面にゴムによって弾性的に取付けられた構造ではないので、地震の際に地震による力が内装材に直接に伝達されて内装材が破壊されやすい。【解決手段】内装材取付用のゴム構造体３は、所定厚さに形成されたゴム４とゴムの内部に埋め込まれた金属板（鉄板６）とを備え、金属板が、ゴム構造体を内装材の下地面に固定した第１の止着具の頭部を受け止めるとともに内装材をゴム構造体に取付けた第２の止着具のねじ部に係合して第２の止着具を固定することを特徴とする。【選択図】図１
2007218007.tif 000002
【特許請求の範囲】
【請求項１】
所定厚さに形成されたゴムとゴムの内部に埋め込まれた金属板とを備え、金属板が、ゴム構造体を内装材の下地面に固定した第１の止着具の頭部を受け止めるとともに内装材をゴム構造体に取付けた第２の止着具のねじ部に係合して第２の止着具を固定することを特徴とする内装材取付用のゴム構造体。
【請求項２】
ゴムの一面の中央には、第１の止着具の打ち込み位置を示すとともに第１の止着具の頭部を収容する凹部が形成されたことを特徴とする請求項１に記載の内装材取付用のゴム構造体。
【発明の詳細な説明】
【技術分野】
【０００１】
本発明は、地震の際に内装材が破壊されにくい内装材の取付構造を提供可能な内装材取付用のゴム構造体に関する。
【背景技術】
【０００２】
天井ランナーがビスによって天井スラブに取付けられ、床ランナーがビスによって床スラブに取付けられ、ゴムが床ランナーの内側に配置され、パネルが弾性ゴムの上に載置されてパネルの上端部がビスによって天井ランナーに取付けられた構造が知られている。しかしながら、このゴムは、天井ランナーのような内装材を床スラブコンクリートのような取付面に弾性的に取付けるためのものではない。したがって、床側のランナーが床コンクリートスラブに直接に取付けられ、ランナーとパネルとの間にゴムが設けられたことによって、ランナーとパネルとの間がゴムの厚さだけ離されてランナーとパネルとの係合が浅くなってしまう。即ち、ランナーが床コンクリートスラブに弾性的に取付けられた構造ではないので、地震の際に地震による力がランナーに直接に伝達されることによってランナーの側板部がパネルと干渉して変形してしまうというようにランナーが破壊されやすくなり、ランナーが破壊されると、パネルによる壁が崩落しやすい。
【特許文献１】特開平０６−２４８７２０号公報
【発明の開示】
【発明が解決しようとする課題】
【０００３】
発明が解決しようとする問題は、従来は、内装材が床コンクリートスラブのような内装材の下地面に直接に取付けられた構造であり、内装材が内装材の下地面にゴムによって弾性的に取付けられた構造ではないので、地震の際に地震による力が内装材に直接に伝達されて内装材が破壊されやすいという点である。
【課題を解決するための手段】
【０００４】
本発明による内装材取付用のゴム構造体は、所定厚さに形成されたゴムとゴムの内部に埋め込まれた金属板とを備え、金属板が、ゴム構造体を内装材の下地面に固定した第１の止着具の頭部を受け止めるとともに内装材をゴム構造体に取付けた第２の止着具のねじ部に係合して第２の止着具を固定することを特徴とする。
ゴムの一面の中央には、第１の止着具の打ち込み位置を示すとともに第１の止着具の頭部を収容する凹部が形成されたことも特徴とする。
【発明の効果】
【０００５】
本発明のゴム構造体によれば、内装材の下地面に対して内装材を弾性的に取付けることができ、地震の際に地震による力がゴム構造体の弾性により緩和されて内装材に伝わるとともに内装材がゴム構造体の弾性に追従して緩やかに動くので、地震の際に内装材が破壊されにくくなる。
ゴムの一面の中央に、第１の止着具の打ち込み位置を示すとともに第１の止着具の頭部を収容する凹部を備えるので、第１の止着具の取付作業が容易となるとともに、内装材の載る一面を平坦にできる。
【発明を実施するための最良の形態】
【０００６】
図１乃至図３は最良の形態を示し、図１は内装材としての床側のランナーを下地面としての床コンクリートスラブに取付けるためのゴム構造体を断面で示し、図２はゴム構造体の平面を示し、図３はゴム構造体を用いたランナーの取付構造を断面で示す。
【０００７】
図１に示すように、ゴム構造体３は、所定厚さＨの平板状に形成されたゴム４と、ゴム４の内部においてゴム４の一面５側に埋め込まれてゴム４の一面５と平行に設けられた金属板としての鉄板６とを備えた構成である。図１；２に示すように、ゴム構造体３は、例えば、縦の長さａが６０ｍｍ、横の長さｂが１００ｍｍ、厚さＨが３０ｍｍの直方体形状に形成されたゴム４と、縦の長さａ１が４０ｍｍ、横の長さｂ１が１００ｍｍ、厚さＨ１が０．６ｍｍの矩形の平板により形成された鉄板６とにより形成される。例えば、鉄板６は、ゴム４の一面５から他面７側に一定の距離（例えば５ｍｍ）だけ下方の位置に埋め込まれる。ゴム構造体３におけるゴム４の一面５の中央位置には、ゴム構造体３を床コンクリートスラブ２に固定するためのアンカーピンのような鋲８の打ち込み位置を示すとともに鋲８の頭部１５を収容する凹部９が形成される。
【０００８】
図３を参照し、ゴム構造体３を用いた床側のランナー１（以下、ランナー１と略す）の取付構造を説明する。ゴム構造体３がゴム４の一面５とは反対側の面であるゴム４の他面７を床コンクリートスラブ２に向けて床コンクリートスラブ２に設置され、一端に頭部１５を有する第１の止着具としての上記鋲８の他端部１６がゴム構造体３を上下に貫通して床コンクリートスラブ２の内部に係止されたことで床コンクリートスラブ２に固定されるとともに頭部１５が鉄板６の一面１７に係止されたことによって、ゴム構造体３が床コンクリートスラブ２に取付けられる。床コンクリートスラブ２に取付けられたゴム構造体３のゴム４の一面５にランナー１の底板部１０の下面１８が載置され、一端に頭部１９を有する第２の止着具としてのビス２０のねじ部２１がランナー１の底板部１０を上下に貫通してゴム構造体３の鉄板６にねじ込まれて固定されるとともに頭部１９がランナー１の底板部１０の上面２２に係止されたことによって、ランナー１が床コンクリートスラブ２に取付けられる。以上によって、ランナー１がゴム構造体３を介して床コンクリートスラブ２に取付けられた構造である。
【０００９】
すなわち、作業者が、ゴム構造体３のゴム４の他面７側を下に向けてゴム構造体３を床コンクリートスラブ２に設置する。鋲打機等を使用してゴム４の一面５側から凹部９に鋲８を打ち込む。これにより、鋲８の他端部１６がゴム構造体３を貫通して床コンクリートスラブ２に固定されるとともに鋲８の頭部１５が鉄板６の一面１７に係止して、ゴム構造体３が床コンクリートスラブ２に取付けられる。この場合、図３の紙面と直交する方向において所定の間隔を隔てて複数設けられる各間柱３２の下に位置するように、ゴム構造体３を図１の紙面と直交する方向において所定の間隔を隔てて複数取付ける。次に、床コンクリートスラブ２に取付けられた複数のゴム４の一面５にランナー１の底板部１０の下面１８を載置し、電動ドライバー等でタッピングスクリューのようなビス２０を底板部１０に打ち込む。これにより、ビス２０のねじ部２１がランナー１の底板部１０を貫通してゴム構造体３の鉄板６にねじ込まれて固定されるとともにビス２０の頭部１９がランナー１の底板部１０の上面２２に係止して、ランナー１が複数のゴム４の一面５側に取付けられる。
【００１０】
天井コンクリートスラブ３０には天井側のランナー３１が鋲８により固定される。そして、天井側のランナー３１と床側のランナー１との間に間柱３２を建てる。間柱３２は、図３の紙面と直交する方向において所定の間隔を隔てて複数設けられる。そして、壁ボード３３の下地面としての間柱３２に壁ボード３３を図外のビスで取付ける。壁ボード３３の下端３４と床コンクリートスラブ２との間にはシーリング剤が充填されたシーリング部３５が形成される。天井コンクリートスラブ３０側には図外の野縁などの天井下地が構築され、野縁に天井ボード３６が取付けられて天井３７が形成される。
【００１１】
最良の形態によるゴム構造体３によれば、ランナー１を床コンクリートスラブ２に弾性的に取付けることができる。したがって、地震の際に地震による力がゴム構造体３の弾性により緩和されてランナー１に伝わるとともにランナー１がゴム構造体３の弾性に追従して緩やかに動くので、地震の際にランナー１が破壊されにくくなり、壁の耐震性能を向上できる。
【００１２】
また、図３に示すように、ランナー１の底板部１０と間柱３２との間の介在物をなくすことができ、ランナー１の凹部４０と間柱３２の下端部４１との係合を深くできる。つまり、間柱３２の下端部４１をランナー１の底板部１０に近接させることができて、ランナー１の側板部１１；１２の内面と間柱３２との接触面積を大きくできるので、ランナー１の側板部１１；１２と間柱３２とが干渉することによるランナー１の側板部１１；１２の変形が少なくなる。
【００１３】
ゴム構造体３が、ゴム４の一面５の中央位置に凹部９を備えるために、鋲８の取付位置が明瞭となるので、鋲打ち作業が容易となるとともに、鋲８の頭部１５が凹部９内に収容されることで、ランナー１を載せるゴム４の一面５を平坦にできるので、ゴム４の一面５とランナー１の底板部１０の下面１８とを互いに密着させることができる。
【産業上の利用可能性】
【００１４】
本発明の内装材取付用のゴム構造体３は、下地面としての天井コンクリートスラブ３０に内装材としての天井側のランナー３１を取付ける場合や、下地面としての壁下地面に内装材を取付ける場合にも用いることができる。
【図面の簡単な説明】
【００１５】
【図１】ゴム構造体の断面図（最良の形態）。
【図２】ゴム構造体の平面図（最良の形態）。
【図３】ランナーの取付構造の断面図（最良の形態）。
【符号の説明】
【００１６】
３  ゴム構造体、４  ゴム、５  ゴムの一面、６  鉄板（金属板）、
８  鋲（第１の止着具）、９  凹部、１５；１９  頭部、１６  他端部、
２０  ビス（第２の止着具）、２１  ねじ部。
【図１】
2007218007.tif 000003
【図２】
2007218007.tif 000004
【図３】
2007218007.tif 000005